(57)【特許請求の範囲】
【請求項１】
所定のコード画像を表示可能な表示部を備えた印刷装置であって、
操作者の操作を受け付ける受付部と、
前記表示部に情報を表示する表示制御手段と、を備え、
前記表示制御手段は、
前記表示部に前記コード画像を含む画面を表示してから前記受付部が操作者の操作を受け付けずに所定時間が経過しても所定の画面を前記表示部に表示せず、前記表示部に前記コード画像を含む画面を表示してから前記受付部が操作者の操作を受け付けずに前記所定時間より長い他の所定時間が経過したときに前記所定の画面を前記表示部に表示し、前記表示部に前記コード画像を含まない画面を表示してから前記受付部が操作者の操作を受け付けずに前記所定時間が経過したときに前記所定の画面を前記表示部に表示する、印刷装置。
【請求項２】
前記コード画像は、バーコード画像である、請求項１に記載の印刷装置。
【請求項３】
前記コード画像は、ネットワークを介して前記印刷装置にアクセスするための情報を含む、請求項１又は２に記載の印刷装置。
【請求項４】
前記表示制御手段は、前記コード画像の視認性が高まるように前記表示部を制御する、請求項１ないし３のいずれか一項に記載の印刷装置。
【請求項５】
前記表示制御手段は、前記コード画像のコントラストを調整する、請求項４に記載の印刷装置。
【請求項６】
前記表示制御手段は、前記他の所定時間が経過する前に前記受付部が操作者の操作を受け付けたときに前記所定のコード画像を含む画面を他の画面に切り替える、請求項１ないし５のいずれか一項に記載の印刷装置。
【請求項７】
外部装置が送信した印刷データを受信する受信手段と、
前記表示制御手段は、前記他の所定時間が経過する前に前記受信手段が前記印刷データを受信したときに前記所定のコード画像を含む画面を他の画面に切り替える、請求項１ないし５のいずれか一項に記載の印刷装置。
【請求項８】
所定のコード画像を表示可能な表示部を備えた印刷装置の表示制御方法であって、
前記コード画像を含む画面を前記表示部に表示するステップと、
前記表示部に前記コード画像を含む画面が表示されてから受付部が操作者の操作を受け付けずに所定時間が経過しても所定の画面を前記表示部に表示せず、前記表示部に前記コード画像を含む画面が表示されてから前記受付部が操作者の操作を受け付けずに前記所定時間より長い他の所定時間が経過したときに前記所定の画面を前記表示部に表示し、前記表示部に前記コード画像を含まない画面が表示されてから前記受付部が操作者の操作を受け付けずに前記所定時間が経過したときに前記所定の画面を前記表示部に表示するステップと、を有する印刷装置の表示制御方法。
【請求項９】
所定のコード画像を表示可能な表示部を備えた印刷装置であって、
操作者の操作を受け付ける受付部と、
前記表示部に情報を表示しあるいは前記表示部を消灯する表示制御手段と、を備え、
前記表示制御手段は、
前記表示部に前記コード画像を含む画面を表示してから前記受付部が操作者の操作を受け付けずに所定時間が経過しても前記表示部を消灯せず、前記表示部に前記コード画像を含む画面を表示してから前記受付部が操作者の操作を受け付けずに前記所定時間より長い他の所定時間が経過したときに前記表示部を消灯し、前記表示部に前記コード画像を含まない画面を表示してから前記受付部が操作者の操作を受け付けずに前記所定時間が経過したときに前記表示部を消灯する、印刷装置。
【請求項１０】
前記コード画像は、バーコード画像である、請求項９に記載の印刷装置。
【請求項１１】
前記コード画像は、ネットワークを介して前記印刷装置にアクセスするための情報を含む、請求項９又は１０に記載の印刷装置。
【請求項１２】
前記表示制御手段は、前記コード画像の視認性が高まるように前記表示部を制御する、請求項９ないし１１のいずれか一項に記載の印刷装置。
【請求項１３】
前記表示制御手段は、前記コード画像のコントラストを調整する、請求項１２に記載の印刷装置。
【請求項１４】
前記表示制御手段は、前記他の所定時間が経過する前に前記操作部が操作者の操作を受け付けたときに前記コード画像を含む画面を他の画面に切り替える、請求項９ないし１３のいずれか一項に記載の印刷装置。
【請求項１５】
外部装置が送信した印刷データを受信する受信手段を備え、
前記表示制御手段は、前記他の所定時間が経過する前に前記受信手段が前記印刷データを受信したときに前記コード画像を含む画面を他の画面に切り替える、請求項９ないし１３のいずれか一項に記載の印刷装置。
【請求項１６】
所定のコード画像を表示可能な表示部を備えた印刷装置の表示制御方法であって、
前記コード画像を含む画面を前記表示部に表示するステップと、
前記表示部に前記コード画像を含む画面が表示されてから前記受付部が操作者の操作を受け付けずに所定時間が経過しても前記表示部を消灯せず、前記表示部に前記コード画像含む画面が表示されてから前記受付部が操作者の操作を受け付けずに前記所定時間より長い他の所定時間が経過したときに前記表示部を消灯し、前記表示部に前記コード画像を含まない画面が表示されてから前記受付部が操作者の操作を受け付けずに前記所定時間が経過したときに前記表示部を消灯するステップと、を有する表示制御方法。
【発明の詳細な説明】
【技術分野】
【０００１】
本発明は、操作部へのバーコード表示、オートクリア機能、省電力機能の動作停止及び解除の制御に関する。
【背景技術】
【０００２】
スマートフォンのようなモバイル機器からネットワークを介して複合機などの画像形成装置に印刷の指示を送信する場合、予めモバイル機器へデータ送信先を設定しておく必要がある。このときの設定方法として、複合機の操作部にデータ送信先をバーコード表示し、このバーコード表示をモバイル機器に読み取らせることが行われている。このような設定方法によれば、モバイル機器の方でネットワーク設定やネットワーク検索を行う必要がなくなり、設定作業を簡単にすることができる。
一方、近年の画像形成装置には、画像形成時の設定に関して様々な機能が用意されている。例えば特許文献１には、ユーザーが設定した設定作動モード毎にオートクリアタイムを設定する画像形成装置が開示されている。オートクリアタイムとは、それまでに設定した内容を自動的に消去するための時間である。また、特許文献２には、ガイダンスキーのオンによってスタートし、通常のオートクリアタイマーより長い設定時間を持つガイダンスモード用のオートクリアタイマー機能を有する複写機が開示されている。さらに、特許文献３には、予め定められた所定時間以上継続して入力がない場合に省電力動作モードへ移行する処理を自動的に実行する情報処理装置が開示されている。省電力動作モードとは、表示パネルの液晶ディスプレイ（ＬＣＤ：Liquid Crystal Display）を消灯することで消費電力を削減するモード（機能）である。
【先行技術文献】
【特許文献】
【０００３】
【特許文献１】特開２００２−２３５６４号公報
【特許文献２】特開平５−１８８７１３号公報
【特許文献３】特開２００９−１５７６３７号公報
【発明の概要】
【発明が解決しようとする課題】
【０００４】
特許文献１ないし３に開示されたオートクリアタイムなどは、ユーザが手動で設定する必要があり、煩雑である。また、設定内容をバーコードで表示し、モバイル機器でそれを読み取る前に、バーコードの表示が消えてしまったり、バーコードを認識しにくくなる場合がある。例えば、モバイル機器において、バーコード読取りのためのアプリケーションの起動や操作に時間がかかってしまうと、オートクリア機能や省電力機能が作動してしまう場合がある。
本発明は、このような問題を解消し、オートクリア機能等を有していても、画像を通じて所定情報を確実にモバイル機器側に伝えることができる技術の提供を主たる課題とする。
【課題を解決するための手段】
【０００５】
本発明は、例えば印刷装置として具現化される。ある側面の印刷装置は、所定のコード画像を表示可能な表示部を備えた印刷装置であって、操作者の操作を受け付ける受付部と、前記表示部に情報を表示する表示制御手段と、を備える。
前記表示制御手段は、前記表示部に前記コード画像を含む画面を表示してから前記受付部が操作者の操作を受け付けずに所定時間が経過しても所定の画面を前記表示部に表示せず、前記表示部に前記コード画像を含む画面を表示してから前記受付部が操作者の操作を受け付けずに前記所定時間より長い他の所定時間が経過したときに前記所定の画面を前記表示部に表示し、前記表示部に前記コード画像を含まない画面を表示してから前記受付部が操作者の操作を受け付けずに前記所定時間が経過したときに前記所定の画面を前記表示部に表示する。
【発明の効果】
【０００６】
本発明によれば、例えば印刷装置側でオートクリア機能等を有していても、所定情報を確実に外部装置側に伝えることができる。
【図面の簡単な説明】
【０００７】
【図１】第１実施形態におけるＭＦＰの構成図。
【図２】外部装置の一例となるモバイル機器の構成図。
【図３】画像形成装置の操作部における表示内容の例示図。
【図４】モバイル機器の操作部における表示内容の例示図。
【図５】第１実施形態におけるＭＦＰ側の動作手順説明図。
【図６】第１実施形態におけるモバイル機器の動作手順説明図。
【図７】プリントエンジン部の概要構成を示す断面図。
【図８】第２実施形態におけるＭＦＰの動作手順説明図。
【発明を実施するための形態】
【０００８】
以下、図面を参照して本発明の実施の形態例を説明する。
〔第１実施形態〕
本実施形態では、通信機能を有する画像形成装置として、ネットワーク型の複合機（ＭＦＰ：Multi Function Peripheral）を用いた場合の例を示す。図１は、ＭＦＰの構成図である。ＭＦＰ１００は、ＣＰＵ１１０、ＲＡＭ１１１、ＲＯＭ１１２、不揮発性メモリ１１３を有するコンピュータを内部バスに接続して構成される。この内部バスには、表示部１１４が操作部１１５を介して接続されている。内部バスには、また、スキャナ部１１６、プリントエンジン部１１７、ＬＡＮ  Ｉ／Ｆ１１８も接続されている。
【０００９】
ＣＰＵ（Central Processing Unit）１１０は、所定のコンピュータプログラム（ＭＦＰ制御用プログラム）を読み込んで実行する。これにより、コンピュータをＭＦＰ１００の動作を統括的に制御するＭＦＰ制御部として機能させる。ＲＡＭ（Random Access Memory）１１１は、上記ＭＦＰ制御用プログラムのワークメモリとして機能する。また、プリントエンジン部１１７に印刷出力するための画像イメージを一時的に蓄積するためのバッファとして機能する。ＲＯＭ（Read Only Memory）１１２は、オペレーティングシステムなどの基本制御プログラムが格納されている。ＲＯＭ１１２に書き換え可能なフラッシュＲＯＭを用いることで、ＲＯＭ中に格納されている各種プログラム（プログラムコード）の更新を行うことも可能である。不揮発性メモリ１１３は、ハードディスク（ＨＤＤ：Hard Disk Drive）やフラッシュＲＯＭなどで構成される。不揮発性メモリ１１３には、上記ＭＦＰ制御用プログラムがインストールされている。また、各種設定データ、ＭＦＰ１００の利用履歴、画像ファイル（ファイル化した画像形成用データ）などが蓄積されている。
【００１０】
表示部１１４は、ＬＣＤ（liquid crystal display）にタッチスクリーンを組み合わせたタッチパネル式ディスプレイであり、設定画面などが表示される表示手段として機能する。操作部１１５は、表示部１１４に表示された設定画面を通じて操作された内容を受け付ける操作手段として機能する。表示部１１４は、オートクリア機能又は省電力機能の起動により表示画面を所定状態へ遷移させるものである。「オートクリア機能」とは、操作部１１５で入力中の設定内容が未確定の状態が一定期間継続した場合に、設定内容をクリアする機能である。この機能は、未確定の設定を次のユーザが利用するのを防ぐために用意されている。オートクリア機能が動作した場合、表示画面は設定画面の先頭など予め決められている所定の画面に自動的に遷移する。また、「省電力機能」とは、表示部１１４のＬＣＤを消灯させることで、ＭＦＰ１００の消費電力を削減する機能である。すなわち表示画面が表示されたまま、未操作状態が一定期間継続した場合、省電力機能が起動し、ＬＣＤが消灯する。
【００１１】
スキャナ部１１６は、原稿を読み込み、画像ファイルに変換する。プリントエンジン部１１７は、スキャナ部１１６で読み込んだ画像ファイル又は外部装置より受信した画像ファイルを印刷出力する。ＬＡＮ  Ｉ／Ｆ１１８は、ＬＡＮ（Local Area Network）４００に接続するためのインタフェースである。ＬＡＮ４００には、アクセスポイント３００を介して外部装置であるモバイル機器５００が接続されており、これにより、ＭＦＰ１００とモバイル機器５００との間でデータ送受信が可能となっている。
【００１２】
図２は、通信機能及び画像読取機能を有するモバイル機器の構成図である。モバイル機器５００としては、スマートフォン、タブレット端末あるいはパーソナルコンピュータを用いることができる。モバイル機器５００は、ＣＰＵ５１０、ＲＡＭ５１１、ＲＯＭ５１２、不揮発性メモリ５１３を有するコンピュータを内部バスに接続して構成される。この内部バスには、表示部５１４が操作部５１５を介して接続されている。内部バスには、また、カメラ部５１６、バーコード読取部５１７、通信Ｉ／Ｆ５１８も接続されている。
【００１３】
ＣＰＵ５１０は、印刷制御用コンピュータプログラム（以下、「印刷アプリ」と呼ぶ）を読み込んで実行する。これにより、コンピュータをＭＦＰ１００の動作を統括的に制御する印刷制御部として機能させる。ＲＡＭ５１１は、印刷アプリを実行する際のワークメモリとして機能する。また、カメラ部５１６で撮影した画像ファイルやバーコード読取部５１７で読み取った所定情報などを一時的に蓄積するためのバッファとして機能する。ＲＯＭ５１２は、オペレーティングシステムなどの基本制御プログラムが格納されている。ＲＯＭ５１２に書き換え可能なフラッシュＲＯＭを用いることで、ＲＯＭ中に格納されている各種プログラム（プログラムコード）の更新を行うことも可能である。不揮発性メモリ５１３は、ハードディスクやフラッシュＲＯＭなどで構成される。不揮発性メモリ５１３には、上記印刷制御用プログラムがインストールされている。不揮発性メモリ５１３には、また、カメラ部５１６で撮影した画像ファイルが格納されている。
【００１４】
表示部５１４は、ＬＣＤにタッチスクリーンを組み合わせたタッチパネル式ディスプレイであり、各種設定用画面などが表示される。操作部５１５は、表示部５１４に表示された各種設定用画面を通じて操作された内容を受け付ける。バーコード読取部５１７は、カメラ部５１６で撮影したバーコード画像から所定情報を自動的に読み取る。所定情報は、本実施形態では、ネットワークを介して自装置にアクセスする際に設定される受信先アドレスである。通信Ｉ／Ｆ５１８は、ＬＡＮ４００（図１参照）を介してＭＦＰ１００と通信するためのインタフェースである。具体的には、バーコード読み取り機能で読み取った所定情報を用いてＭＦＰ１００へアクセスする。
【００１５】
ここで、ＭＦＰ１００側及びモバイル機器５００側に表示される表示画面の例を説明する。ＭＦＰ１００の表示部１１４には、図３に例示した設定画面が表示される。表示部１１４の表示画面には、画像表示領域１１、機能選択領域１２、テンキー領域１３、方向指定領域１４が形成される。画像表示領域１１には、機能選択領域１２で選択された機能の設定画像が表示される。機能の設定画像は、例えば、バーコード画像、プリントエンジン部１１７に印刷させる際の設定表示、印刷状況の表示などである。テンキー領域１３は、印刷枚数などの入力に使用される。方向指定領域１４は、画像表示領域１１に表示された各種画像内の項目切替などに使用される。
【００１６】
図示の例では、画像表示領域１１にバーコード画像と、このバーコード画像の読み取り指示が表示されている。このバーコード画像が表す情報は、本実施形態では、ネットワークを介して受信する画像ファイルの受信先アドレスである。受信先アドレスは、利用する通信の形態に応じて定められる。通信の形態は、例えば、ＨＴＴＰ（Hypertext Transfer Protocol）、ＦＴＰ（File Transfer Protocol）、ＳＭＢ（Server Message Block）である。アドレスは、電子メールアドレスあるいはＩＰアドレスなどを用いることができる。これらは、操作部１１５を介して切り替えることができる。ＨＴＴＰを利用する場合、ＵＲＬ（Uniform Resource Locator）をバーコード画像に変換することになる。なお、受信先アドレスを切り替えたり、ＭＦＰ１００の通信環境（ネットワーク設定内容）を変更した場合は、ＣＰＵ１１０によりバーコード画像が作り変えられる。
【００１７】
図４は、モバイル機器５００の表示部５１４の表示画面の例示図である。画面のレイアウトは、印刷アプリにより決定される。図示の例では、画像ファイル選択領域５１、カラーモード設定領域５２、用紙サイズ設定領域５３、画像領域５４が形成されている。画像ファイル選択領域５１では、ＭＦＰ１００へ送信する画像形成用データとしての画像ファイルを指定する。指定された画像ファイルは印刷データとして出力される。カラーモード設定領域５２では、カラーかモノクロかを指定する。用紙サイズ設定領域５３では、印刷時の用紙サイズを指定する。画像領域５４では、カメラ部５１６で撮影した画像を表示させる。撮影した画像がバーコード画像であった場合は、その内容が自動的にバーコード読取部５１７で読み取られ、ＣＰＵ５１０に伝えられる。
【００１８】
次に、上記のように構成されるＭＦＰ１００とモバイル機器５００とで実行されるＭＦＰ１００の制御方法について説明する。この制御方法は、大別して、ＭＦＰ１００側で行うオートクリア機能などの起動を制限する制限ステップと、モバイル機器５００側で行う印刷データの送信ステップと、ＭＦＰ１００で行う上記制限の解除ステップとを有する。印刷データは、画像形成用データとしての画像ファイルである。
制限ステップでは、ＭＦＰ１００が、印刷データの受信先アドレスを表す画像を生成し、生成した画像を表示画面に表示するとともに、当該表示画面に対する表示画面の遷移を制限する。送信ステップでは、モバイル機器５００が、画像から受信先アドレスを読み取り、読み取った受信先アドレスを伴う印刷データをＭＦＰ１００側へ送信する。解除ステップでは、印刷データを受信したＭＦＰ１００が、上記遷移の制限を解除する。
【００１９】
制限ステップ及び解除ステップの処理内容を図５を参照して説明する。図５は、ＣＰＵ１１０（ＭＦＰ制御部）によるメインルーチンの手順説明図である。ＣＰＵ１１０は、印刷ジョブの発生時、ユーザが操作部１１５を操作することにより印刷制御動作を開始する。具体的には、図３に示した表示画面を通じて操作部１１５に入力された操作内容を受け付ける（Ｓ１０１）。そして、操作内容に応じて表示部１１４の画像表示領域１１に表示させる画面の切り替えを行う（Ｓ１０２）。ＣＰＵ１１０は、また、受け付けた操作内容がバーコード画像表示のための操作かどうかを判断する（Ｓ１０３）。バーコード画像表示のための操作であった場合（Ｓ１０３：Ｙ）、ＣＰＵ１１０は、表示部１１４にバーコード画像を表示させる。また、バーコード画像が消えないように、オートクリア機能又は省電力機能による表示画面の遷移を制限する。簡易には、オートクリア機能と省電力機能の起動を停止（一時停止）させる（Ｓ１０４）。そして、これらの機能の起動を停止させていることをＲＡＭ１１１に記憶させておく。バーコード画像表示のための操作でなかった場合はＳ１０１に戻る（Ｓ１０３：Ｎ）。以上が上記の制限ステップの内容である。
【００２０】
この状態で、ＣＰＵ１１０は、バーコード画像が表す受信先アドレスを伴う印刷データの受信を待つ（Ｓ１０５）。受信していない間（Ｓ１０５：Ｎ）、ＣＰＵ１１０は、操作部１１５の表示を別画面に切り替えるための操作が行われたかどうかを判断する（Ｓ１０６）。上記操作が行われない状態が一定期間経過するまでは、Ｓ１０５以降の処理を繰り返す（Ｓ１０６：Ｎ，Ｓ１０７：Ｎ）。一定期間は予め決められた固定時間としても良いし、ユーザが複数の選択肢から選択しておく方法でも良いが、バーコード画像を読み取るまでに十分な期間を設定する。
【００２１】
Ｓ１０５において、印刷データを受信した場合（Ｓ１０５：Ｙ）、あるいは別画面に切り替えるための操作が行われた場合（Ｓ１０６：Ｙ）、ＣＰＵ１１０は、オートクリア機能と省電力機能に対する制限（一時停止）を直ちに解除する（Ｓ１０８）。モバイル機器５００からのアクセスが無く（印刷データを受信せず）、操作部１１５による上記操作も無い状態が一定期間経過した場合（Ｓ１０７：Ｙ）も同様である。すなわち、ＣＰＵ１１０は、モバイル機器５００からのアクセスが検知される前に操作部１１５が操作入力を受け付けたときは直ちに制限を解除する。以上が上記の解除ステップである。
この解除ステップの処理は、モバイル機器５００からの印刷データの受信と、操作部１１５からの操作が無く、オートクリア機能と省電力機能が一時停止したままになるのを防ぐためのタイマー機能の処理である。
【００２２】
Ｓ１０８により解除ステップを終えると、ＣＰＵ１１０は、設定画面の先頭など予め決められている所定の画面の切り替えを行う。また、省電力機能が動作した場合は、ＬＣＤの消灯への切り替えを行う（Ｓ１０９）。その後、Ｓ１０１に戻る。
【００２３】
図６は、モバイル機器５００が実行する上記の送信ステップの詳細内容を示す手順説明図である。図６に示す手順は、ＣＰＵ５１０が印刷ジョブ、すなわち、ユーザによる印刷アプリの起動を検知したときに開始する。ＣＰＵ５１０は、図４に示した表示画面において画像ファイル選択領域５１への操作を検知すると、モバイル機器５００に保存されている画像ファイルから印刷したい画像ファイルを印刷データとして選択する（Ｓ２０１）。ＣＰＵ５１０は、また、図４のカラーモード設定５２、用紙サイズ設定５３の操作内容を受け付けると、これらの印刷設定を行う（Ｓ２０２）。
【００２４】
ユーザがカメラ部５１６をＭＦＰ１００の表示部１１４に表示されたバーコード画像に向け、その撮影画像が画像領域５４に表示されると、バーコード読取部５１７がそれを読み取り、バーコード画像が表す所定情報を解読してＣＰＵ５１０に伝える（Ｓ２０３）。ＣＰＵ５１０は、読み取った結果から、バーコード画像が表す情報がＭＦＰ１００において予め設定されている受信先アドレスかどうかの判断を行う（Ｓ２０４）。予め設定されている受信先アドレスでないと判断した場合（Ｓ２０４：Ｎ）、つまり、読み取りが正常に終了しなかった場合、ＣＰＵ５１０は、エラー表示を行う（Ｓ２０５）。その後、Ｓ２０３に戻り、再度バーコード画像の読み取りを繰り返す。
【００２５】
Ｓ２０３において、受信先アドレスを正常に読み取った場合（Ｓ２０４：Ｙ）、ＣＰＵ５１０は、Ｓ２０１で選択した画像ファイル（印刷データ）と、Ｓ２０２で設定した設定情報を、読み取った受信先アドレスに向けて送信する（Ｓ２０６）。ＭＦＰ１００との間の通信のプロトコルとしてＨＴＴＰを使用する場合、ＨＴＴＰのＰＵＴメソッドを使用して受信先アドレスに向けて画像ファイルを送信する。この場合、ＭＦＰ１００は、ＰＯＳＴメソッドでその画像ファイルを受信し、受信した画像ファイルを保存することになる。以上が上記の送信ステップの内容である。
送信が正常に終了した場合、ＣＰＵ５１０は、画像送信結果を表示し（Ｓ２０７）、印刷ジョブを終える。
【００２６】
ここで、印刷ジョブを実行するＭＦＰ１００のプリンタエンジン部１１７の動作概要を説明する。図７は、レーザービームプリント方式のプリンタエンジン部１１７の概略構成図である。モバイル機器５００から受信し、保存された印刷データは、ＣＰＵ１１０でビデオ信号に変換され、レーザードライバ１００２に入力される。レーザドライバ１００２は、半導体レーザ１００３の駆動回路であり、入力されたビデオ信号に応じて半導体レーザ１００３から発射されるレーザ光１００４のオン・オフ切り換えを行なう。レーザ光１００４は、回転多面鏡１００５で左右方向に振らされて静電ドラム１００６上を走査露光する。これにより、静電ドラム１００６上には、出力画像の静電潜像が形成される。この潜像は、静電ドラム１００６周囲に配設された現像ユニット１００７で現像された後、印刷用紙に転写される。印刷用紙は印刷用紙カセット１００８に収納され、給紙ローラ１００９、及び搬送ローラ１０１０、 １０１１により装置内に取り込まれて静電ドラム１００６に供給される。
なお、プリンタエンジン部１１７は、レーザービームプリンタ方式以外に、インクジェットプリンタ、昇華プリンタ、銀塩プリンタなどの他のプリンタ方式を用いることができる。
【００２７】
このように、本実施形態では、ＭＦＰ１００が表示部１１４にバーコード画像を表示すると、それに伴い、オートクリア機能と省電力機能を、モバイル機器５００から印刷データの受信を検知まで制限する。そのため、モバイル機器５００でバーコード画像を読み取る前に、バーコード画像の表示が消えてしまったり、バーコード画像を認識しにくくなる事態の発生を防止することができる。そのため、ＭＦＰ１００側から、通信の設定内容などを確実にモバイル機器５００側に伝えることができる。
【００２８】
〔第２実施形態〕
第１実施形態では、オートクリア機能と省電力機能を制限する形態として、両機能を一時停止し、その後、その解除を行うタイマー機能の処理を行う例について説明したが、タイマー機能を設けない簡易な手段で両機能を制限することもできる。第２実施形態では、オートクリア機能と省電力機能の起動開始時期を遅らせる場合の例を説明する。
【００２９】
図８は、第２実施形態においてＣＰＵ１１０（ＭＦＰ制御部）が実行するメインルーチンの手順を示す。図５に示した第１実施形態の場合と手順と異なるのは、Ｓ１０４がＳ３０４へ、Ｓ１０７がＳ３０７へ、Ｓ１０８がＳ３０８へ変更された点である。その他の手順は、図５と同一であるため、ステップ番号は図５に示したものを示してある。
Ｓ３０４において、ＣＰＵ１１０は、オートクリア機能と省電力機能の起動開始時期を変更することで、表示部１１４におけるバーコード画像の表示期間を延ばす制御を行う。オートクリア機能の起動開始時期は最短で１０秒の設定が可能であるが、ユーザによっては、モバイル機器５００の印刷アプリを起動して印刷開始するまでに短かすぎる場合がある。例えばユーザがＭＦＰ１００から離れた場所にいたり、印刷アプリの起動が容易でない場合がある。このような場合、オートクリア機能が起動するタイミングをバーコード画像の表示後、５〜１０分程度に一時的に変更することで、印刷データをＭＦＰ１００へ送信するまで余裕を持って操作することが可能となる。
同様に、省電力機能の起動開始時期は最短で１分の設定が可能であるが、この設定値を１０分程度まで一時的に変更することで、印刷開始まで余裕を持って操作することができる。起動開始時期をどの程度遅らせるかは、予めユーザが設定しておく。ＣＰＵ１１０は、オートクリア機能又は省電力機能が起動したか否かを判断しており（Ｓ３０７）、起動したと判断した場合、起動開始時期の変更解除を行う（Ｓ３０８）。
【００３０】
このように、第２実施形態では、オートクリア機能と省電力機能の起動開始時期を遅らせる制御を行うだけなので、簡易な手段で、オートクリア機能や省電力機能の起動を制限することができる。
【００３１】
〔変形例〕
第１実施形態及び第２実施形態では、バーコード画像が表す所定情報がＭＦＰ１００の受信先アドレスである場合の例を示したが、この例に限定されない。バーコード画像を通じて、ＭＦＰ１００側で画像形成の動作を許容する情報をモバイル機器５００に通知できれば良いので、所定情報は、ＭＦＰ１００が独自に設定した権限情報であっても良い。また、モバイル機器５００側で所定情報を認識できれば良いので、バーコード画像以外の画像であっても良い。
【００３２】
また、第１実施形態及び第２実施形態では、ＭＦＰ１００のオートクリア機能と省電力機能の起動をいずれも一時停止したり、起動開始時期を遅らせる例を説明したが、この例に限定されない。いずれか一方のみの機能を有するＭＦＰ１００の場合は、当該機能の起動を制限することで足りる。また、オートクリア機能と省電力機能に限らず、表示部１１４がモバイル機器５００が認識可能な画像の表示を妨げる状態に遷移する場合にも本発明は適用が可能である。
【００３３】
望ましい実施の態様では、表示部１１４が表示画面の遷移を制限している間、画像の視認性が高まるように当該画像の表示態様を制御する。例えば、画像のコントラストを増加させるように制御する。これにより、モバイル機器５００側で、より確実に画像を認識することができる。また、制限した後の経過時間を計測し、モバイル機器５００からのアクセスが検知されず、かつ、操作入力を受け付けない状態が所定時間継続されたときは、制限を自動的に解除するようにしても良い。これにより、過度に長い間、表示部１１４における表示画面の遷移が制限される事態を回避することができる。また、第１実施形態及び第２実施形態では、画像形成装置としてＭＦＰ１００を用いた場合の例を説明したが、プリンタなどの単独機能だけの装置であっても良い。
【００３４】
本発明は、プログラム若しくは記録媒体（記憶媒体）等としての実施態様をとることも可能である。また、本発明の目的は、以下のようにすることによっても達成される。すなわち、前述した実施形態の機能を実現する各種コンピュータプログラムのプログラムコードを記録した記録媒体（または記憶媒体）を、端末に供給する。かかる記憶媒体は、コンピュータ読み取り可能な記憶媒体である。そして、その端末のコンピュータ（またはＣＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成する。
【図１】
0006611537.tif 000002
【図２】
0006611537.tif 000003
【図３】
0006611537.tif 000004
【図４】
0006611537.tif 000005
【図５】
0006611537.tif 000006
【図６】
0006611537.tif 000007
【図７】
0006611537.tif 000008
【図８】
0006611537.tif 000009